(57)【要約】【課題】映像出力ラインを構築するための煩雑な切り替え作業やそれに伴う出力調整作業を簡略化するマルチシグナルマトリクススイッチャの提供。【解決手段】ＮＴＳＣ信号が入力される入力チャンネルを有し、ＮＴＳＣ信号をＲＧＢ信号に変換するラインダブラー１２を設け、ラインダブラーの出力を所定のＲＧＢ信号に変換して出力チャンネルに出力するスキャンコンバータ１３を設ける。入力チャンネルと出力チャンネルの間を特定のラインダブラー及び特定のスキャンコンバータを介して接続する映像出力ラインを構築するスイッチング手段７、９を設ける。チャンネルの組み合わせに応じた接続情報を格納する接続情報メモリ１１を設け、該接続情報に基づいてスイッチング手段に映像出力ラインを構築するように指令し、スキャンコンバータに対して出力ＲＧＢ信号の種類を設定するように指令する切り替え制御手段５を設ける。チャンネルの組み合わせを入力するだけで、映像出力ラインが構築され、出力すべきＲＧＢ信号の種類が設定される。煩雑なスイッチング作業や出力調整作業を行う必要が無い。【選択図】  図１
2004172800.tif 000002
【特許請求の範囲】
【請求項１】
ＮＴＳＣ信号が入力される複数のＮＴＳＣ入力チャンネルを有し、
該入力されたＮＴＳＣ信号を所定の種類のＲＧＢ信号に変換する複数のラインダブラーを設け、
該ラインダブラーの出力を、任意の種類のＲＧＢ信号に変換して出力する複数のスキャンコンバータを設け、
該スキャンコンバータの出力を出力チャンネルにそれぞれ接続し、
それらＮＴＳＣ入力チャンネルと出力チャンネルの間に、特定の前記出力チャンネルと特定の前記ＮＴＳＣ入力チャンネルを、特定の前記ラインダブラー及び特定の前記スキャンコンバータを介して接続する映像出力ラインを構築し得る第１のスイッチング手段を設け、
ＮＴＳＣ入力チャンネルと出力チャンネルの組み合わせを入力する第１の入力手段を設け、
前記ＮＴＳＣ入力チャンネルと出力チャンネルの組み合わせに対応した接続情報を格納する第１の接続情報メモリを設け、
前記入力手段から入力される前記ＮＴＳＣ入力チャンネルと出力チャンネルの組み合わせに応じた前記接続情報を前記接続情報メモリから読み出して該読み出された接続情報に基づいて、前記第１のスイッチング手段に対して前記映像出力ラインを構築するように指令すると共に、前記入力手段から入力された出力チャンネルに対応した、スキャンコンバータに対して、該出力チャンネルから出力すべきＲＧＢ信号の種類を前記接続情報に基づいて設定するように指令する第１の切り替え制御手段を設け、
て構成した、マルチシグナルマトリクススイッチャ。
【請求項２】
前記接続情報メモリは、前記接続情報を、前記ＮＴＳＣ入力チャンネルと出力チャンネルの組み合わせ毎に格納していることを特徴とする、請求項１記載のマルチシグナルマトリクススイッチャ。
【請求項３】
ＲＧＢ信号が入力される複数のＲＧＢ入力チャンネルを設け、
それらＲＧＢ入力チャンネルと前記出力チャンネル間に、特定の前記出力チャンネルと特定の前記ＲＧＢ入力チャンネル間を、特定の前記スキャンコンバータを介して接続して映像出力ラインを構築し得る第２のスイッチング手段を設け、
ＲＧＢ入力チャンネルと出力チャンネルの組み合わせを入力する第２の入力手段を設け、
前記ＲＧＢ入力チャンネルと出力チャンネルの組み合わせに対応した接続情報を格納する第２の接続情報メモリを設け、
前記第２の入力手段から入力される前記ＲＧＢ入力チャンネルと出力チャンネルの組み合わせに応じた前記接続情報を前記第２の接続情報メモリから読み出して該読み出された接続情報に基づいて、前記第２のスイッチング手段に対して前記映像出力ラインを構築するように指令すると共に、前記第２の入力手段から入力された出力チャンネルに対応した、スキャンコンバータに対して、該出力チャンネルから出力すべきＲＧＢ信号の種類を前記接続情報に基づいて設定するように指令する第２の切り替え制御手段を設け、
て構成した、請求項１記載のマルチシグナルマトリクススイッチャ。
【請求項４】
前記第１のスイッチング手段は、前記特定のＮＴＳＣ入力チャンネルと前記特定のラインダブラーを接続する、第３のスイッチング手段及び、前記特定のラインダブラーと前記特定のスキャンコンバータを接続する第４のスイッチング手段を有することを特徴とする、請求項１記載のマルチシグナルマトリクススイッチャ。
【請求項５】
前記第１のスイッチング手段、前記複数のラインダブラー及び前記複数のスキャンコンバータは、単一の筐体に収納されていることを特徴とする、請求項１記載のマルチシグナルマトリクススイッチャ。
【発明の詳細な説明】
【０００１】
【発明の属する技術分野】
本発明は、複数の入力チャンネルから入力される、ＮＴＳＣやＲＧＢなどの複数種類の映像信号を、複数の出力チャンネルに選択的に出力することの出来る、マルチシグナルマトリクススイッチャに関する。
【０００２】
【従来の技術】
通常、この種のマルチシグナルマトリクススイッチャは、ＮＴＳＣ信号やＲＧＢ信号などの複数の入力チャンネルを持ち、かつ複数の出力チャンネルを持っている。そして、入力チャンネルにビデオ装置、パソコンその他の複数の映像入力ソースが接続され、出力チャンネルにディスプレイやプロジェクタなどの複数の映像出力装置が接続され、それら映像入力ソースと複数の映像出力装置を、内部のマトリクススイッチで適宜切り替えることにより、特定の映像入力ソースと特定の映像出力装置を接続する機能を有している。
【０００３】
そして、このマルチシグナルマトリクススイッチャを用いることにより、特定の映像入力ソースが接続された映像入力チャンネルと特定の映像出力装置が接続された出力チャンネルを結んだ映像出力ラインを構築し、該映像出力ラインを複数組、同時に稼働させることにより、各映像出力ラインを介して、複数の映像入力を同時に、複数の映像出力装置に出力して、多様な映像表現を可能とすることが出来る。
【０００４】
マルチシグナルマトリクススイッチャの入力チャンネルに接続される機器から入力される映像信号としては、ＮＴＳＣ信号とＲＧＢ信号があり、ＲＧＢ信号としては、ＶＧＡ，ＳＶＧＡ、ＸＧＡ、ＳＸＧＡ、ＵＸＧＡなどの接続される機器に応じて複数種類の信号が有る。従って、マルチシグナルマトリクススイッチャは、入力される多様な映像信号を、出力チャンネルに接続された映像出力装置が受け入れ可能な信号に変換して出力する必要がある。
【０００５】
しかし、従来のマルチシグナルマトリクススイッチャは、ＮＴＳＣ信号から所望のＲＧＢ信号へ変換する機能がなかったために、一度、マルチシグナルマトリクススイッチャ内でＮＴＳＣ信号を特定のＲＧＢ信号へ変換した後、当該変換されたＲＧＢ信号を、マルチシグナルマトリクススイッチャの各出力チャンネルに接続されたスキャンコンバータで、映像出力装置に適したＲＧＢ信号へ再変換していた。
【０００６】
【発明が解決しようとする課題】
これでは、所定のＲＧＢ信号を得るためには、ＮＴＳＣ信号を出力する機器が接続された入力チャンネルを選択する度に、マルチシグナルマトリクススイッチャに対する操作と、対応するスキャンコンバータに対する同時的な切り替え操作が必要となる。また、スキャンコンバータ側では、マルチシグナルマトリクススイッチャに接続された機器に応じた出力画質調整、即ちＶＧＡ、ＳＶＧＡ、ＸＧＡ、ＳＸＧＡなどの設定動作や、画面サイズ調整、画面位置調整などの出力調整作業が、更に必要となる。
【０００７】
また、効果的なプレゼンテーションを行うには、映像入力ソース及び映像出力装置を適宜切り替えて、即ち、映像出力ラインを変更して映像を表示することが行われるが、映像出力ラインが変更されるたびに、上述の切り替え作業や調整作業が発生し、極めて煩雑であった。
【０００８】
本発明は、上記した事情に鑑み、入力チャンネルと出力チャンネル間の映像出力ラインを構築するための煩雑な切り替え作業やそれに伴う出力調整作業を、大幅に簡略化することが出来る、マルチシグナルマトリクススイッチャを提供することを目的とするものである。
【０００９】
【課題を解決するための手段】
請求項１の発明は、ＮＴＳＣ信号が入力される複数のＮＴＳＣ入力チャンネル（例えば、図１の「入力１」から「入力６」までの６チャンネル）を有し、
該入力されたＮＴＳＣ信号を所定の種類のＲＧＢ信号に変換する複数のラインダブラー（１２Ａ、１２Ｂ、１２Ｃ、１２Ｄ）を設け、
該ラインダブラーの出力を、任意の種類ＲＧＢ信号（例えば、ＶＧＡ、ＳＶＧＡ、ＸＧＡ、ＳＸＧＡなど）に変換して出力する複数のスキャンコンバータ（１３Ａ、１３Ｂ、１３Ｃ、１３Ｄ）を設け、
該スキャンコンバータの出力を出力チャンネル（例えば、図１の「出力１」から「出力４」の４チャンネル）にそれぞれ接続し、
それらＮＴＳＣ入力チャンネルと出力チャンネルの間に、特定の前記出力チャンネルと特定の前記ＮＴＳＣ入力チャンネルを、特定の前記ラインダブラー及び特定の前記スキャンコンバータを介して接続する映像出力ラインを構築し得る第１のスイッチング手段（７、９）を設け、
ＮＴＳＣ入力チャンネルと出力チャンネルの組み合わせを入力する第１の入力手段（３）を設け、
前記ＮＴＳＣ入力チャンネルと出力チャンネルの組み合わせに対応した接続情報を格納する第１の接続情報メモリ（１１）を設け、
前記入力手段から入力される前記ＮＴＳＣ入力チャンネルと出力チャンネルの組み合わせに応じた前記接続情報を前記接続情報メモリから読み出して該読み出された接続情報に基づいて、前記第１のスイッチング手段に対して前記映像出力ラインを構築するように指令すると共に、前記入力手段から入力された出力チャンネルに対応した、スキャンコンバータに対して、該出力チャンネルから出力すべきＲＧＢ信号の種類を前記接続情報に基づいて設定するように指令する第１の切り替え制御手段（５）を設けて構成される。
【００１０】
請求項２の発明は、請求項１記載のマルチシグナルマトリクススイッチャにおいて、前記接続情報メモリは、前記接続情報を、前記ＮＴＳＣ入力チャンネルと出力チャンネルの組み合わせ毎に格納していることを特徴として構成される。
【００１１】
請求項３の発明は、請求項１記載のマルチシグナルマトリクススイッチャにおいて、ＲＧＢ信号が入力される複数のＲＧＢ入力チャンネル（例えば、図１の「入力７」から「入力１２」までの６チャンネル）を設け、
それらＲＧＢ入力チャンネルと前記出力チャンネル間に、特定の前記出力チャンネルと特定の前記ＲＧＢ入力チャンネル間を、特定の前記スキャンコンバータを介して接続して映像出力ラインを構築し得る第２のスイッチング手段（９）を設け、
ＲＧＢ入力チャンネルと出力チャンネルの組み合わせを入力する第２の入力手段（３）を設け、
前記ＲＧＢ入力チャンネルと出力チャンネルの組み合わせに対応した接続情報を格納する第２の接続情報メモリ（１１）を設け、
前記第２の入力手段から入力される前記ＲＧＢ入力チャンネルと出力チャンネルの組み合わせに応じた前記接続情報を前記第２の接続情報メモリから読み出して該読み出された接続情報に基づいて、前記第２のスイッチング手段に対して前記映像出力ラインを構築するように指令すると共に、前記第２の入力手段から入力された出力チャンネルに対応した、スキャンコンバータに対して、該出力チャンネルから出力すべきＲＧＢ信号の種類を前記接続情報に基づいて設定するように指令する第２の切り替え制御手段（５）を設けて構成される。
【００１２】
請求項４の発明は、請求項１記載のマルチシグナルマトリクススイッチャにおいて、前記第１のスイッチング手段は、前記特定のＮＴＳＣ入力チャンネルと前記特定のラインダブラーを接続する、第３のスイッチング手段（７）及び、前記特定のラインダブラーと前記特定のスキャンコンバータを接続する第４のスイッチング手段（９）を有することを特徴として構成される。
【００１３】
請求項５の発明は、請求項１記載のマルチシグナルマトリクススイッチャにおいて、前記第１のスイッチング手段（７、９）、前記複数のラインダブラー（１２Ａ、１２Ｂ、１２Ｃ、１２Ｄ）及び前記複数のスキャンコンバータ（１３Ａ、１３Ｂ、１３Ｃ、１３Ｄ）は、単一の筐体（２）に収納されていることを特徴として構成される。
【００１４】
【発明の効果】
請求項１の発明によれば、第１の入力手段（３）を介して、ＮＴＳＣ入力チャンネルと出力チャンネルの組み合わせを入力するだけで、第１の切り替え制御手段（５）が、当該組み合わせに応じた接続情報を接続情報メモリから読み出して、第１のスイッチング手段に対して映像出力ラインを構築するように指令すると共に、スキャンコンバータに対して、出力チャンネルから出力すべきＲＧＢ信号の種類を設定するように指令する。従って、オペレータは、映像入力ソースと映像出力装置を切り替えるたびに、入力チャンネルと出力チャンネル間の映像出力ラインを構築するための煩雑なスイッチング作業を行う必要がなくなるばかりか、スキャンコンバータに対するＲＧＢ信号の設定などの出力調整作業も行う必要が無く、作業を大幅に簡略化することが出来る。
【００１５】
請求項２の発明によると、接続情報メモリは、前記接続情報を、ＮＴＳＣ入力チャンネルと出力チャンネルの組み合わせ毎に格納しているので、入力チャンネルと出力チャンネルの組み合わせが入力されると、それに対応する接続情報は、接続情報メモリから即座に読み出すことが出来、迅速な映像出力ラインの構築及び出力調整作業を行うことが出来る。
【００１６】
請求項３の発明によれば、第２の入力手段を介して、ＲＧＢ入力チャンネルと出力チャンネルの組み合わせを入力することにより、第２の切り替え制御手段が、ＲＧＢ入力チャンネルと出力チャンネルの組み合わせに応じた接続情報を第２の接続情報メモリから読み出して第２のスイッチング手段に対して映像出力ラインを構築するように指令すると共に、出力チャンネルに対応したスキャンコンバータに対して、該出力チャンネルから出力すべきＲＧＢ信号の種類を接続情報に基づいて設定するように指令するので、映像入力ソースからの映像信号がＮＴＳＣ信号に加えてＲＧＢ信号のものにも対応することが出来、汎用性が高い。
【００１７】
請求項４の発明によれば、第３のスイッチング手段が、ＮＴＳＣ信号をＲＧＢ信号に変換するラインダブラーを選択的に接続し、第４のスイッチング手段が第３のスイッチング手段により映像出力ラインに組み込まれたラインダブラーを、ＲＧＢ信号変換用のスキャンコンバータに選択的に接続することが出来、多様な映像出力ラインの実現が可能となる。
【００１８】
請求項５の発明によれば、第１のスイッチング手段（７、９）、複数のラインダブラー（１２Ａ、１２Ｂ、１２Ｃ、１２Ｄ）及び複数のスキャンコンバータ（１３Ａ、１３Ｂ、１３Ｃ、１３Ｄ）は、単一の筐体（２）に収納されるので、それらの間を接続するケーブルなどが不要となり、装置全体を大幅に小型化することが出来る。
【００１９】
なお、括弧内の番号等は、図面における対応する要素を示す便宜的なものであり、従って、本記述は図面上の記載に限定拘束されるものではない。
【００２０】
【発明の実施の形態】
図１は、本発明が適用される、マルチシグナルマトリクススイッチャの回路構成の一例を示すブロック図である。
【００２１】
マルチシグナルマトリクススイッチャ１は、図１に示すように、単一の筐体２を有しており、筐体２の外部から操作可能な位置には、操作部３が設けられている。操作部３には、後述する１２個の入力チャンネル及び４個の出力チャンネルに対応して、それぞれ１２個の入力チャンネル選択スイッチ（図示せず）及び４個の出力チャンネル選択スイッチ（図示せず）が、オペレータが操作可能な形で設けられている。また、操作部には、更に、出力画質調整用の複数のスイッチ（図示せず）が設けられている。
【００２２】
操作部３には、切り替え制御部５が接続されており、切り替え制御部５には、ＮＴＳＣマトリクススイッチャ７、ＲＧＢマトリクススイッチャ９、スキャンコンバータ部１０及び出力フォーマットメモリ１１などが接続している。
【００２３】
ＮＴＳＣマトリクススイッチャ７とＲＧＢマトリクススイッチャ９との間には、４チャンネル分のラインダブラー１２Ａ、１２Ｂ、１２Ｃ、１２Ｄが接続されており、更に、ＲＧＢマトリクススイッチャ９には、前述したスキャンコンバータ部１０を構成する４チャンネル分のスキャンコンバータ１３Ａ、１３Ｂ、１３Ｃ、１３Ｄが接続されている。各スキャンコンバータ１３Ａ、１３Ｂ、１３Ｃ、１３Ｄには、マルチシグナルマトリクススイッチャ１の４チャンネルの出力チャンネル（図中、「出力１」、「出力２」、「出力３」、「出力４」と表示）がそれぞれ接続している。
【００２４】
また、ＮＴＳＣマトリクススイッチャ７には、ＮＴＳＣ信号が入力可能な６チャンネルの入力端子（図中、「入力１」、「入力２」、「入力３」、「入力４」「入力５」、「入力６」と表示）がそれぞれ接続しており、更に、ＲＧＢマトリクススイッチャ９には、ＲＧＢ信号が入力可能な６チャンネルの入力（図中、「入力７」、「入力８」、「入力９」、「入力１０」「入力１１」、「入力１２」と表示）がそれぞれ接続している。
【００２５】
マルチシグナルマトリクススイッチャ１は、以上のような構成を有するので、マルチシグナルマトリクススイッチャ１に複数の映像入力ソース及び映像出力装置を接続し、それらを切り替えて使用する場合には、まず、オペレータは、操作部３のチャンネル選択スイッチを操作して、４チャンネルの出力チャンネル毎に、当該出力チャンネルに接続された映像出力装置で表示すべき映像入力ソースが接続された入力チャンネルを選択する。
【００２６】
切り替え制御部５は、操作部３でのオペレータのチャンネル選択スイッチの操作状態を常に検出しており、チャンネル選択スイッチが操作されて新たな入力チャンネルと出力チャンネルの組み合わせが入力されたものと判定した場合には、出力フォーマットメモリ１１の対応するアドレスを検索して、当該入力チャンネルと出力チャンネルとの組み合わせに際して使用する、各種の画像設定情報などからなる接続情報を読み出す。
【００２７】
出力フォーマットメモリ１１には、入力チャンネルと出力チャンネルとの全ての組み合わせに対応したアドレスが、例えば４８個、設定されており、例えば、図１の場合、１２チャンネルの入力端子を「ＩＮ１、ＩＮ２、……ＩＮ１２」と表示し、４チャンネルの出力チャンネルを、「ＯＵＴ１、ＯＵＴ２、……ＯＵＴ４」と表示し、入力チャンネルと出力チャンネルとの組み合わせに対応するアドレスは、それらの符号の組み合わせで、例えば、入力チャンネルの「入力１」と出力チャンネルの「出力３」の端子の組み合わせの場合には、対応するアドレスを「ＩＮ１、ＯＵＴ３」と表示している。
【００２８】
各アドレス位置には、対応する入力チャンネルと出力チャンネルとの組み合わせ（従って、使用する映像入力ソースと映像出力装置との組み合わせ）が選択された際に使用すべき画像設定パラメータ、即ち、出力画質（ＶＧＡ、ＳＶＧＡ、ＸＧＡ、ＳＸＧＡなど）、画面サイズ、画面位置などのパラメータ及び使用される、マルチシグナルマトリクススイッチャ１内での映像出力ラインが予め、接続情報として格納されており、オペレータが使用すべき入力チャンネルと出力チャンネルとの組み合わせを入力すると、それら画像設定パラメータ及び映像出力ラインなどの接続情報は直ちに対応するアドレス位置から読み出される。なお、ここで「映像出力ライン」とは、選択された入力チャンネルと出力チャンネルを結ぶ、マルチシグナルマトリクススイッチャ１内での信号経路（即ち、スイッチング状態）を意味し、入力チャンネルから出力チャンネルまでの間で、通過すべき信号経路を選択することが出来るハードウエアがある場合には、それらのハードウエアのどれを使用するかを含めて予め設定されている。図１の、マルチシグナルマトリクススイッチャ１の場合、信号経路の選択可能なハードウエアは、ＮＴＳＣマトリクススイッチャ７とＲＧＢマトリクススイッチャ９との間に介在する４個のラインダブラー１２Ａ、１２Ｂ、１２Ｃ、１２Ｄ及び、スキャンコンバータ１３Ａ、１３Ｂ、１３Ｃ、１３Ｄだけであるが、これらのハードウエアの種類及び数は任意に設定することが出来る。
【００２９】
こうして、オペレータが操作部３を介して入力した入力チャンネルと出力チャンネルの組み合わせに基づいて、出力フォーマットメモリ１１の対応するアドレス位置から、当該入力チャンネルと出力チャンネルの組み合わせに際して使用すべき画像設定パラメータ及び映像出力ラインを読み出し、該読み出された画像設定パラメータ及び映像出力ラインに基づいて、切り替え制御部５は、ＮＴＳＣマトリクススイッチャ７、ＲＧＢマトリクススイッチャ９更にはスキャンコンバータ部１０に対して、映像出力ラインの設定及び画像設定パラメータの設定動作を実行する。
【００３０】
即ち、切り替え制御部５は、まず、オペレータが選択した入力チャンネルが、「入力１」から「入力６」までのＮＴＳＣ入力チャンネルの場合には、ＮＴＳＣマトリクススイッチャ７に接続された４個のラインダブラー１２Ａ、１２Ｂ、１２Ｃ、１２Ｄのうち、出力フォーマットメモリ１１から読み出された接続情報に示されたラインダブラー１２Ａ又は１２Ｂ又は１２Ｃ又は１２Ｄと、選択された入力チャンネルを接続するように、ＮＴＳＣマトリクススイッチャ７に指令する。ラインダブラー１２は、入力されてくるＮＴＳＣ信号を所定の種類のＲＧＢ信号へ変換する機能を有する回路であり、入力チャンネルの「入力１」から「入力６」までのＮＴＳＣ信号が入力される入力チャンネルは、ラインダブラー１２Ａ、１２Ｂ、１２Ｃ、１２Ｄのうちのいずれかのラインダブラー１２にＮＴＳＣマトリクススイッチャ７により接続される。
【００３１】
次に、切り替え制御部３は、オペレータが出力チャンネルとして選択した「出力１」から「出力４」までの出力チャンネルと、既に選択されたラインダブラー１２とを接続するように、ＲＧＢマトリクススイッチャ９に指令する。これにより、各出力チャンネルに接続しているスキャンコンバータ１２Ａ、１２Ｂ、１２Ｃ、１２ＤとＮＴＳＣマトリクススイッチャ７により選択されたラインダブラー１２が、ＲＧＢマトリクススイッチャ９により接続される。スキャンコンバータ１３は、任意のＶＧＡ、ＳＶＧＡ、ＸＧＡ、ＳＸＧＡなどのＲＧＢ信号入力を、任意に設定されたＶＧＡ、ＳＶＧＡ、ＸＧＡ、ＳＸＧＡなどのＲＧＢ信号へ変換して出力する回路である。
【００３２】
なお、オペレータが、入力チャンネルとしてＮＴＳＣ信号からＲＧＢ信号への変換が不要な、ＲＧＢ信号入力用の「入力７」から「入力１２」の入力チャンネルを選択していた場合には、当該入力チャンネルとオペレータが出力チャンネルとして選択した「出力１」から「出力４」までの出力チャンネルとを接続するように、ＮＴＳＣマトリクススイッチャ７に指令する。
【００３３】
これにより、オペレータは、操作部３を介して入力チャンネルと出力チャンネルを適宜選択することにより、当該入力チャンネルと出力チャンネルの組み合わせに使用されるラインダブラー１２やスキャンコンバータ１３などが切り替え制御部５により自動的に選択される。
【００３４】
切り替え制御部５は、更に、接続情報に示された画像設定パラメータに基づいて、選択されたスキャンコンバータ１３に対して、出力チャンネルから出力すべき出力画質（ＶＧＡ、ＳＶＧＡ、ＸＧＡ、ＳＸＧＡなど）、画面サイズ、画面位置などを設定する。
【００３５】
以上の動作により、マルチシグナルマトリクススイッチャ１内では、オペレータが操作部３を介して入力した入力チャンネルと出力チャンネルの組み合わせに応じて、映像出力ラインの設定構築及び、ラインダブラー１２及びスキャンコンバータの選択、更には、出力チャンネルに接続される映像出力装置に対応した各種の画像設定が、オペレータによる何らの切り替え作業や設定作業を要することなく完了する。
【００３６】
こうして、オペレータは、操作部３を介して、各出力チャンネルについて、当該出力チャンネルに接続された映像出力装置に出力すべき映像入力ソースが接続された入力チャンネルを選択して、入力チャンネルと出力チャンネルの組み合わせとして入力する。切り替え制御部５はそれに応じて対応する入力チャンネルと出力チャンネルに関する接続情報を、出力フォーマットメモリ１１から読み出し、該読み出された接続情報に示された映像出力ラインに基づいてマトリクススイッチャ７、９を制御して選択された入力チャンネルと出力チャンネルを所定のラインで電気的に接続し、更に、映像出力ラインにより選択されたスキャンコンバータ１３に対して画像設定パラメータを設定してゆく。
【００３７】
こうして、出力チャンネルに接続された全ての映像出力装置に対して、１２の入力チャンネルに接続された映像入力ソースを、選択的に接続したところで、各映像出力装置に映像出力ラインで結ばれた映像入力ソースから、映像信号を出力する。すると、それらの映像信号は、予め入力チャンネルと出力チャンネルの組み合わせから出力フォーマットメモリ１１に格納された接続情報に基づいて設定された映像出力ライン及びスキャンコンバータ１２に設定された画像設定パラメータに基づいて、適正に処理され、各映像出力装置に所定の適正な状態で表示される。
【００３８】
なお、各入力チャンネルと出力チャンネルの組み合わせに応じた接続情報は、入力チャンネルに接続される映像入力ソースと、出力チャンネルに接続される映像出力装置に応じて、オペレータが、予め出力フォーマットメモリ１１内の当該入力チャンネルと出力チャンネルの組み合わせに対応するアドレス位置に格納しておく。この作業は、操作部３を操作して、各種の接続情報を入力するほかに、電子データの形で磁気ディスクなどの記録媒体を介してマルチシグナルマトリクススイッチャに読み込ませたり、更にはＬＡＮなどの通信回線を介して接続情報をマルチシグナルマトリクススイッチャにダウンロードしたりすることにより行うことが出来る。
【００３９】
こうした設定は、入力チャンネルに接続される映像入力ソースと、出力チャンネルに接続される映像出力装置について一度行っておけば、以後、各チャンネルの接続機器が変更されるなどの設定の変更の必要が生じない限り、繰り返し出力フォーマットメモリ１１から読み出され、設定動作が自動的に行われるので、接続の度に、映像出力ラインや画像設定パラメータを設定し直す必要はなく、単に使用すべき入力チャンネルと出力チャンネルの組み合わせを操作部３から入力するだけでよい。
【図面の簡単な説明】
【図１】図１は、本発明が適用される、マルチシグナルマトリクススイッチャの回路構成の一例を示すブロック図である。
【符号の説明】
１……マルチシグナルマトリクススイッチャ
２……筐体
３……第１の入力手段、第２の入力手段（操作部）
５……第１の切り替え制御手段、第２の切り替え制御手段（切り替え制御部）
７……第１のスイッチング手段、第３のスイッチング手段（ＮＴＳＣマトリクススイッチャ）
９……第１のスイッチング手段、第２のスイッチング手段、
第４のスイッチング手段（ＲＧＢマトリクススイッチャ）
１１……第１の接続情報メモリ、第２の接続情報メモリ
（出力フォーマットメモリ）
１２Ａ、１２Ｂ、１２Ｃ、１２Ｄ……ラインダブラー
１３Ａ、１３Ｂ、１３Ｃ、１３Ｄ……スキャンコンバータ
【図１】
2004172800.tif 000003